【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
無線通信システムにおけるトランシーバのアップリンク電力要件を決定するための方法であって、
フレームの第１のタイムスロットを占有するビーコン信号から最初の測定値を取得するステップと、
送信された信号の強度が既知である少なくとも１つの追加チャネルから第２の測定値を取得して、前記フレームの第２のタイムスロットを占有するステップと、
前記第１と第２の測定値を使用してパス損失推定値を決定するステップと
を具えたことを特徴とする方法。
【請求項２】
前記パス損失推定値を使用して送信電力を決定するステップをさらに具えたことを特徴とする請求項１記載の方法。
【請求項３】
前記パス損失を使用して前記フレームの後続のタイムスロットの送信電力を制御するステップをさらに具えたことを特徴とする請求項１記載の方法。
【請求項４】
前記第１および第２のタイムスロットとは異なる前記フレームのタイムスロットからさらなる測定値を取得するステップと、
前記第１および第２のタイムスロットの前記測定値と前記のさらなる測定値を使用してさらなるパス損失推定値を取得するステップと
をさらに具えたことを特徴とする請求項１記載の方法。
【請求項５】
前記ビーコン信号と前記追加チャネルは、時分割多重と時分割同期符号多元接続のいずれかを使用して送信されることを特徴とする請求項１記載の方法。
【請求項６】
前記測定値を取得するための前記ステップは、希望波受信電力の測定値を取得するステップを含むことを特徴とする請求項１記載の方法。
【請求項７】
少なくとも１つの基地局と少なくとも１つのレシーバを含む無線通信システムのアップリンクタイムスロットとダウンリンクタイムスロットとの間にタイムスロットセパレーションを有する無線システムにおけるトランシーバのアップリンク電力要件を決定する際に使用する方法であって、
信号送信フレーム内のタイムスロットのビーコンチャネルを送信するステップと、
前記ビーコンチャネルと、既知の送信された信号の強度を有し前記フレームの第２のタイムスロットを占有する物理チャネルとの間の電力オフセット値を送信するステップと、
前記ビーコンチャネルおよび前記物理チャネルの希望波受信電力（ＲＳＣＰ）測定値を取得するステップと、
前記電力オフセット値を取得するステップと、
前記ＲＳＣＰ測定値と前記電力オフセット値とに基づいて、パス損失を決定するステップと
を具えたことを特徴とする方法。
【請求項８】
アップリンクタイムスロットで使用するための前記パス損失を採用するステップをさらに具えたことを特徴とする請求項７記載の方法。
【請求項９】
前記ビーコンチャネルの前記ＲＳＣＰを前記ビーコンチャネルの前記送信電力から差し引くことにより、前記パス損失が決定されることを特徴とする請求項７記載の方法。
【請求項１０】
前記物理チャネルの前記送信電力が一定であることを特徴とする請求項７記載の方法。
【請求項１１】
無線通信システムにおけるトランシーバのアップリンク電力要件を決定するための装置であって、
フレームの所与のタイムスロットを占有するビーコン信号から測定値を取得するための第１の手段と、
前記フレームの別のタイムスロットを占有する少なくとも１つの物理チャネルから測定値を取得するための第２の手段と、
パス損失測定値を決定するための前記第１と第２の手段によって取得された前記測定値に対応する第３の手段と
を具えたことを特徴とする装置。
【請求項１２】
アップリンクタイムスロットにおける前記第３の手段から取得された前記結果を使用するための第４の手段をさらに具えたことを特徴とする請求項１１記載の装置。
【請求項１３】
前記フレームのアップリンクタイムスロットの送信電力を制御するために前記パス損失測定値を使用するための第４の手段をさらに具えたことを特徴とする請求項１１記載の装置。
【請求項１４】
無線通信システムのアップリンクタイムスロットとダウンリンクタイムスロットとの間にタイムスロットセパレーションを有する無線システムにおけるトランシーバのアップリンク電力要件を決定するための装置であって、
フレーム内のビーコンチャネル、該フレーム内の第２のタイムスロットを占有する追加チャネル、および該追加チャネルの電力オフセット値を送信するための回路を有する基地局と、
前記ビーコンチャネル、追加チャネル、および電力オフセット値を受信するためのレシーバと
を具え、該レシーバは、
前記ビーコンチャネルおよび前記追加チャネルの前記受信電力（ＲＳＣＰ）を取得するための測定回路と、
前記ＲＳＣＰ測定値および前記電力オフセット値に対応するパス損失を決定するための回路と
を具えたことを特徴とする装置。
【請求項１５】
無線通信システムのアップリンクタイムスロットとダウンリンクタイムスロットとの間にタイムスロットセパレーションを有する無線システムにおけるトランシーバのアップリンク電力要件を決定するための装置であって、
フレーム内のビーコンチャネルと、既知の送信電力レベルで該フレーム内の第２のタイムスロットを占有する追加チャネルとを送信するための回路を有する基地局と、
前記既知のチャネルおよび前記追加チャネルの前記受信電力を測定するための測定回路と、前記測定された値と前記送信電力レベルとに基づいて前記パス損失を計算するための回路とを有するレシーバと
を具えたことを特徴とする装置。
【請求項１６】
アップリンクタイムスロットの信号電力を制御するために前記パス損失を採用するための回路をさらに具えたことを特徴とする請求項１５記載の装置。
【請求項１７】
スロット型通信に使用される無線送信／受信ユニット（ＷＴＲＵ）であって、
フレーム内のビーコンチャネルと、該フレーム内の第２のタイムスロットを占有する既知の値の追加チャネルを受信するための回路と、
前記ビーコンチャネルのパス損失測定値と、既知の値の前記追加チャネルのパス損失測定値とを取得するためのパス損失測定回路と、
前記パス損失測定値に基づいて、送信電力の調整を行う回路と
を具えたことを特徴とする無線送信／受信ユニット。
【請求項１８】
無線通信システムにおけるトランシーバのアップリンク電力要件を決定するための方法であって、
フレームの所定のタイムスロットを占有するビーコン信号から測定値を取得するステップと、
前記フレームの別のタイムスロットを占有する少なくとも１つの物理チャネルから測定値を取得するステップと、
前記ビーコン信号と前記物理チャネルとから取得された前記測定値を使用してパス損失測定値を決定するステップと
を具えたことを特徴とする方法。
【請求項１９】
アップリンクタイムスロットで前記パス損失測定値を使用するステップをさらに具えたことを特徴とする請求項１８記載の方法。
【請求項２０】
前記パス損失測定値を使用して前記フレームのアップリンクタイムスロットの送信電力を制御するステップをさらに具えたことを特徴とする請求項１８記載の方法。
【請求項２１】
前記フレームの前記ビーコン信号および前記物理信号とは異なるタイムスロットを占有する信号からさらなる測定値を取得するステップと、
前記ビーコンタイムスロットと、前記物理チャネルタイムスロットと、前記さらなる測定値から取得された測定値とを使用して、パス損失推定値を決定するステップと
をさらに具えたことを特徴とする請求項１８記載の方法。